(57)【特許請求の範囲】
【請求項１】
ケーブルの端子を圧着するための圧着工具本体部と、
前記本体部の内部に設けられ、前記ケーブルの端子を圧着する際に前記本体部の先端から延出して圧力を加えるピストン部と、
前記ピストン部における延出方向の先端に設けられたオスダイスと、
前記本体部の先端二箇所で連結され、前記オスダイスと対向するように、前記端子の圧着の受けダイスとして延在し、凹部の面を有するメスダイスと、を少なくとも備え、
前記本体部、前記メスダイスおよび前記オスダイスによって、前記ケーブルを挿入した際に該ケーブルがその幅方向に解放できない閉塞された空間を有する圧着部を形成し、該圧着部を含む水平面に対して、前記メスダイスにおける前記凹部の面の切り欠き部として垂直方向に連続する、前記ケーブルの端子の形態に対応する一対の溝部が設けられ、前記メスダイスと前記オスダイスとの空間の長手方向距離における前記メスダイスの空間の幅に対する比が１．１〜１．４であり、前記端子の圧着前後に前記ケーブルをその長手方向に挿入および抜去可能なように構成されていることを特徴とするケーブルの端子圧着工具。
【請求項２】
前記オスダイスが、前記ピストン部と一体型のものである、請求項１記載のケーブルの端子圧着工具。
【請求項３】
油圧ポンプと、該油圧ポンプに接続された油圧ホースと、該油圧ホースの先端に取り付けられた圧着ヘッドと、を備える油圧分離式圧着装置であって、
前記圧着ヘッドとして、請求項１又は２に記載のケーブルの端子圧着工具を用いたことを特徴とする油圧分離式圧着装置。
【発明の詳細な説明】
【技術分野】
【０００１】
本発明は、比較的太いケーブルの端子圧着のために、ダイスや芯棒の開閉作業の必要がなく、効率の良い圧着作業を行うことのできるケーブルの端子圧着工具に関する。
【背景技術】
【０００２】
電気工事において、ケーブルや電線（以下、総称して「ケーブル」と称す）の被覆を剥ぎ取り、銅撚線の部分に端子を圧着する（かみしめる）作業が多くある。ケーブルは細いものから太いものまでさまざまな種類があり、その太さ専用の圧着端子とその太さに適した圧着工具（圧着装置）を使用して圧着作業が行われている。
【０００３】
ケーブルの太さは銅撚線部分の断面積で呼称されており、その太さ（ケーブルの規格によって決まっている断面積）に適合した圧着工具が使用される。
【０００４】
例えば、１．２５ｍｍ２、２〜８ｍｍ２のケーブルまでは、通常ハンドプレス式の圧着工具で圧着する。１４〜６０ｍｍ２のケーブルでは、充電油圧式圧着工具が多用されている。ここまでの太さのケーブルに使用されるこれらの工具は、端子の圧着後に緩め（ハンドプレスや油圧のピストンを戻す操作）を行えば端子を逃すことができる。その理由は、圧着部がコの字型（圧着部において端子を備えるケーブル断面に対して水平方向に開きがある）の圧着工具（以下、この形態を「開放型」と称す）であるためケーブルを逃すスペースを備えるからである。
【０００５】
太いケーブルの端子圧着には相応の圧力が必要になるため、開放型の圧着工具では強度が不十分となる。そのため、１００ｍｍ２以上のケーブルに対しては、圧着部が端子を備えるケーブル断面に対して水平方向に開きのない閉塞型の圧着工具（通常圧着用のピストンおよびダイスを備える圧着工具）が多く使用される。この閉塞型の工具では、１４〜２００ｍｍ２のケーブルまでの圧着が可能である。１４〜１００ｍｍ２のケーブルまでは、圧着部の開放作業なしに端子を逃すことができる。しかし、２００ｍｍ２のケーブルの端子を圧着した後は、閉塞した圧着部先端（ピストンと対向する側）の受けダイス（以下、「メスダイス」と称す）を開く作業が必要となる。ただし、このような工具は技術の進歩もあり比較的軽量で（製品の一例としては４．０ｋｇ）、メスダイスの開放作業もそれほど苦にはならないため一般的に行われている。
【０００６】
しかし、一般的な屋内配線として常用されている中で最も太い思われる３２５ｍｍ２のケーブルの端子圧着工具となると、重量が７．４ｋｇや７．９ｋｇの製品等が例として挙げられる。充電油圧式やＡＣ１００Ｖ一体型油圧式の圧着工具は、重量が重いため大量作業には不向きである。現在でも、多くの場合、油圧ポンプに接続した油圧ホースの先端に圧着用ピストン、メスダイスおよび芯棒を含む圧着部を備えた圧着ヘッドを付けた油圧分離式圧着工具が使用され、３２５ｍｍ２のケーブルの端子の圧着作業が行われている。
【０００７】
この圧着工具の圧着ヘッドは、重量が４．５ｋｇと比較的軽量であるが、端子の圧着後には芯棒を抜き、メスダイスを抜くことで、ようやくケーブルを逃すことができる。芯棒もメスダイスもそれなりの重量があり、落下させる恐れもある。芯棒またはメスダイスの何れかを落下させた場合には現用装置の通電部に激突し短絡事故が発生する恐れがあり、実際にそのような事例も報告されている。そもそも、圧着作業のたびに芯棒およびメスダイスの抜き差しの作業を行うのは非効率である。
【０００８】
充電式、分離式の何れの圧着工具に関わらず、油圧式圧着工具は、圧力の力でピストンを押し出し、押し出されたピストン先端部に付けられたオスダイスで端子を圧着する。
【０００９】
一般的な屋内配線のケーブルの太さの最大が３２５ｍｍ２であり、これを圧着できる工具は強度の問題から閉塞型である必要がある。太いケーブルの端子に対応する開放型の圧縮工具にするには、非常に頑強で重量とサイズが大きくなってしまうという問題があるからである。そして、従来までは、閉塞型の油圧式圧着工具において端子圧着後に圧着部の開閉やダイスの取り外し後に、ケーブルを逃すことが常となっていた。
【発明の概要】
【発明が解決しようとする課題】
【００１０】
本発明の目的は、比較的太いケーブルの端子圧着のために、ダイスや芯棒の開閉作業の必要がなく、効率の良い圧着作業を行うことのできる圧着工具を提供することにある。
【課題を解決するための手段】
【００１１】
本発明者は、鋭意研究した結果、圧着部においてケーブルを前後にできる余裕をとるためにメスダイスとオスダイスとの間隔を長くするとともに、ケーブルを逃すための溝を設けた圧着工具が、前記目的を達成し得ることの知見を得た。
【００１２】
本発明は、前記知見に基づきなされたもので、下記の発明を提供するものである。
１．ケーブルの端子を圧着するための圧着工具本体部と、
前記本体部の内部に設けられ、前記ケーブルの端子を圧着する際に前記本体部の先端から延出して圧力を加えるピストン部と、
前記ピストン部における延出方向の先端に設けられたオスダイスと、
前記本体部の先端二箇所で連結され、前記オスダイスと対向するように、前記端子の圧着の受けダイスとして延在し、凹部の面を有するメスダイスと、を少なくとも備え、
前記本体部、前記メスダイスおよび前記オスダイスによって、前記ケーブルを挿入した際に該ケーブルがその幅方向に解放できない閉塞された空間を有する圧着部を形成し、該圧着部を含む水平面に対して、前記メスダイスにおける前記凹部の面の切り欠き部として垂直方向に連続する、前記ケーブルの端子の形態に対応する一対の溝部が設けられ、前記メスダイスと前記オスダイスとの空間の長手方向距離における前記メスダイスの空間の幅に対する比が１．１〜１．４であり、前記端子の圧着前後に前記ケーブルをその長手方向に挿入および抜去可能なように構成されていることを特徴とするケーブルの端子圧着工具。
【００１３】
２．前記オスダイスが、前記ピストン部と一体型のものである、前記１記載のケーブルの端子圧着工具。
【００１４】
３．油圧ポンプと、該油圧ポンプに接続された油圧ホースと、該油圧ホースの先端に取り付けられた圧着ヘッドと、を備える油圧分離式圧着装置であって、
前記圧着ヘッドとして、前記１又は２に記載のケーブルの端子圧着工具を用いたことを特徴とする油圧分離式圧着装置。
【図面の簡単な説明】
【００１５】
【図１】本発明の一実施形態に係る圧着工具としての圧着ヘッドの全体構造を示す概略図であり、図１（ａ）は正面図、（ｂ）は右側面図、（ｃ）は背面図、（ｄ）は平面図である。
【図２】図１の圧着ヘッドを適用するケーブルの圧着端子の一例を示す概略外形図である。図２（ａ）、（ｂ）および（ｃ）は、それぞれ圧着前の端子の形態を示す正面図、左側面図およびその平面図であり、図２（ｄ）、（ｅ）および（ｆ）は、それぞれ圧着後の端子の形態を示す正面図、左側面図およびその平面図である。
【図３】図１の圧着ヘッドに用いられるメスダイスを示す概略図である。図３（ａ）、（ｂ）、（ｃ）および（ｄ）は、それぞれメスダイスを示す正面図、右側面図、背面図および平面図である。
【図４】図１の圧着ヘッドにおいて図３のメスダイスとともにロックピンが使用されることを示す概略説明図である。
【図５】図１の圧着ヘッドに用いられるオスダイスを示す概略図である。図５（ａ）、（ｂ）、（ｃ）および（ｄ）は、それぞれオスダイスを示す正面図、背面図、右側面図および平面図である。
【図６】図１の圧着ヘッド本体部を示す概略説明図である。図６（ａ）、（ｂ）、（ｃ）、および（ｄ）は、それぞれ本体部の正面図、右側面図、背面図、および平面図である。図６（ｅ）および（ｆ）は、それぞれ本体部のより好適な実施形態を示す正面図および右側面図の一部（正面：圧着部側）である。
【図７】図１に示す実施形態の圧着工具によるケーブルの端子圧着作業フローを示す概略説明図である。図７（１）〜（５）は、各工程における本実施形態の圧着工具における圧着部を示す概略平面図である。
【図８】従来の圧着工具の一例を示す概略説明図である。図８（ａ）、（ｂ）、（ｃ）、および（ｄ）は、それぞれ端子挿入前の本体にメスダイス、芯棒およびオスダイスが挿入設置された圧着ヘッドを示す正面図、右側面図、背面図および平面図であり、図８（ｅ）は、芯棒の正面・右側面を示す概略図であり、図８（ｆ）は、メスダイスの正面・平面・背面を示す概略図であり、図８（ｇ）は、オスダイスの正面・背面・右側面・平面を示す概略図である。
【図９】従来の圧着工具によるケーブルの端子圧着作業フローを示す概略説明図である。図９（１）〜（９）は、各工程における従来の圧着工具における圧着部を示す概略平面図である。
【発明を実施するための形態】
【００１６】
以下、本発明について、その好ましい実施形態に基づき、図面を用いて詳細に説明する。
【００１７】
太さが３２５ｍｍ２のような比較的太いケーブルの端子に対しては、例えば、油圧ポンプと、該油圧ポンプに接続された油圧ホースと、該油圧ホースの先端に取り付けられた圧着ヘッドと、を備える油圧分離式圧着装置が使用されている。
【００１８】
本発明の一実施形態に係るケーブルの端子圧着工具は、このような油圧分離式圧着装置等に使用される圧着ヘッド１０である。
【００１９】
図１に示すように、本実施形態に係る圧着ヘッド１０は、次の（１）〜（４）の部材を少なくとも備えるものである。
（１）ケーブルの端子（図２参照）を圧着するための圧着ヘッド本体部１
（２）圧着ヘッド本体部１の内部に設けられ、ケーブルの端子を圧着する際に本体部１の先端ｔから延出して圧力を加えるピストン部２
（３）ピストン部２における延出方向の先端に設けられたオスダイス３
（４）本体部１の先端二箇所でロックピンＬによって連結され、オスダイス３と対向するように、ケーブルの端子の圧着の受けダイスとして延在するメスダイス４
【００２０】
そして、本体部１、メスダイス４およびオスダイス３によって、ケーブルを挿入した際にそのケーブルが水平方向に解放できない閉塞された空間を有する圧着部が形成されている。圧着の際に、ケーブルの端子を垂直方向に下側から上側へ圧着部の当該空間に挿入し（圧着前）、圧着後にはケーブルの端子を当該空間から垂直方向に下側へ引き抜く。このケーブルの引抜の工程では、実際にはケーブルを引き抜くというより、圧着工具本体をケーブルより引き抜く場合がほとんどである（後述する圧着作業フローにおける図７の（５）ケーブル引抜の図における圧着工具の動きを示す矢印参照）。また、引き抜く方向はケーブルの入線方向により上下左右（特に上下）など様々である。
【００２１】
メスダイス４には、前記圧着部を含む水平面に対して、垂直方向に連続する溝部ｇが設けられている。この溝部ｇは、図１（ｄ）に示すように、平面視でメスダイス４の左右対称に２箇所有する。この溝部ｇが存することにより、圧着前後のケーブルの端子の挿入・抜去を可能にする。このため、溝部ｇの形態は、特に制限されるものではないが、メスダイス４の幅と合わせて、少なくともケーブルの端子の形態の幅の大きさよりも大きな形状のものが設けられる。
【００２２】
また、メスダイス４とオスダイス３との空間の長手方向距離におけるメスダイス４の空間の幅に対する比は、１．１〜１．４の範囲に設定されている。さらに、ケーブルの圧着端子の挿入・抜去のし易さからの作業効率の向上の点から、当該比が１．２〜１．３の範囲内にあることが好ましい。
ここで、メスダイス４とオスダイス３との空間の長手方向距離（ｄ）におけるメスダイス４の空間の幅（ｗ）に対する比とは、図３（ｄ）に示されるｄ／ｗのことを意味する。
【００２３】
本実施形態に係る圧着ヘッド１０は、前記の構成からなるため、ケーブルの端子の圧着前後に、これをケーブルの長手方向に挿入および抜去可能となる。そのため、比較的太いケーブルの端子圧着のために、ダイスや芯棒の開閉作業の必要がなく、効率の良い圧着作業を行うことができる。
【００２４】
ここで、圧着ヘッド１０によるケーブルの端子の圧着は、ピストン部２の動作によりオスダイス３とともに端子を油圧ポンプ等の圧力で押圧することにより行われる。
その際の圧着端子の外形は、図２に示すように、圧着ヘッド１０による圧着により変化する。すなわち、圧着前の端子の外形（図２（ａ）〜（ｃ））から、圧着後の端子の外形（図２（ｄ）〜（ｆ））となる。圧着前の端子の外形は、製造メーカーにより若干の誤差があるが、被圧着部が略円柱状（図２（ｃ）参照）である。これに対して、圧着後の端子の外形は、使用工具や作業者により誤差があるが、被圧着部がやや凹部を有する平坦な面ができ（図２（ｄ）の二重四角破線部）、緩やかな角を備えた略角柱状（図２（ｆ）参照）に変化する。なお、圧着時には、本体部１の正面中央部からピストン部２が所定の長さに押し出されて、オスダイス３とメスダイス４とにより端子が挟まれた状態にある。
【００２５】
メスダイス４は、図３（ｄ）に示すように、オスダイス３が間に介在するように、本体部１の先端ｔの左右両端の二箇所に接続されている。この接続には、メスダイス４が本体部１から外れないようにピンが用いられる。
【００２６】
本実施形態では、図４に示すように、特に本体部１より脱落しないように、メスダイス４との接合部分に、脱落防止用の係合可能な構造を備えたロックピンＬ（図４参照）が使用されている。
【００２７】
メスダイス４は、本体部１からの末端部（オスダイス３と対向する最も遠い部分：凹状の受け部底点の平面視したときの幅）の厚みが可能な範囲で極力薄くされていることが好ましい。メスダイス４の寸法は、特に制限されないが、３２５ｍｍ２の圧着端子専用のメスダイスとして、ＪＩＳ規格適合寸法であること、また圧着後の３２５ｍｍ２の圧着端子を開閉操作なしでメスダイス４より引抜を可能とする寸法であることが要求される。
【００２８】
オスダイス３は、図５に示すように、本実施形態ではピストン部２の先端に取り付けられるものが用いられるが、本体部１より脱落がないようにピストン部との一体型のものも用いることができる。
【００２９】
オスダイス３は、１５０〜３２５ｍｍ２の圧着端子兼用のものが用いられることが多いが、これに限られずメーカーにより様々のものを用いてもよい。オスダイス３の寸法も、特に制限されないが、３２５ｍｍ２、２５０ｍｍ２の圧着端子兼用のオスダイスとして、ＪＩＳ規格適合寸法であることが望ましい。ただし、必ずしもＪＩＳ規格適合品のものを使わなければならないわけではない。
【００３０】
本実施形態に係る圧着ヘッド１０の本体部１としては、図６に示すものが用いられる。圧着ヘッド本体部１は、既述の通り、ケーブルの端子を圧力により押し出して圧着するためのオスダイス３がピストン部２の先端に備えられている。図６（ａ）に示されるように、落下防止のため、オスダイス３は、通常正面視で圧着ヘッド本体部１の中央部に設けられるピストン部２と一体型のものが望ましい。
【００３１】
ただし、本実施形態の圧着ヘッド１０を他の油圧分離式のアタッチメント（２５０ｍｍ２以下の端子圧着やケーブルカッターやパンチャー等）と互換性を持たせられる場合は、ピストン部に対して脱着式のオスダイスを用いることもできる。
【００３２】
圧着ヘッド１０の本体部１の周辺には、その他、図示しないが、リモコン付グリップが取り付けられており、その取付け位置は重量バランスを考慮した適切なところに設けられる。また、本体部１の全長を抑える点から、カプラーが下方に設けられている。また、本実施形態に係る圧着ヘッド１０には、必要に応じて、絶縁カバーを取り付けることもできる。
【００３３】
なお、本発明に係るメスダイス４の溝部ｇを備える構造は、主に太いケーブルの圧着に利用されることが効果的であるが、形状としては比較的細いケーブル(６０ｍｍｓｑ以下) の圧着工具、圧着装置にも適用が可能である。
【００３４】
次に、本実施形態の圧着ヘッド１０を用いてケーブルの端子を圧着する場合の圧着作業フローについて示す。
図７に示すように、圧着ヘッド１０では、ケーブルの端子挿入からケーブルの引抜までに、５つの工程（図７の（１）〜（５））によって圧着作業を行うことができる。すなわち、（１）端子挿入、（２）仮押さえ、（３）圧着、（４）減圧、および（５）ケーブル引抜の工程である。（５）ケーブル引抜の工程では、図の矢印の方向に、圧着ヘッド１０におけるメスダイス４等の圧着部をずらしながら移動させることでケーブルの引抜を容易に行うことができる。
【００３５】
圧着ヘッド１０による上記工程の作業フローによれば、以下の効果がある。
すなわち、圧着後にダイス等の開閉操作なしで端子から引き抜ける。
ダイス等の分離がないため落下による短絡事故等の危険性がない。
本体に付属のグリップを備えた場合、リモコン操作が可能である。
状況によりダイスを外しての端子引抜も可能である。
本体の厚みが従来の圧着工具よりも薄い形態では、狭隘箇所での圧着が容易となる。
油圧分離式圧着装置の油圧ホースが下向きで全長が短い形態では、狭隘箇所での圧着が容易になる。
【００３６】
本発明に係る圧着工具の効果をより明瞭に示すべく、参考までに、従来の圧着工具について示す。
図８に示すように、従来の圧着工具２０は、本体部２１と、ピストンに取り付けられたオスダイス２２と、本体部２１先端の圧着部に挿入される着脱可能なメスダイス２３と、本体２１先端の圧着部においてメスダイス２３を固定させる芯棒２４と、を備えている。
【００３７】
従来の圧着工具２０は、本発明とは異なり、メスダイス２３に溝部が存在せず、メスダイス２３の凹状の受け部底点とオスダイス２２との距離が短く、またメスダイス２３および芯棒２４の抜去が可能な開閉式の形態となっている。なお、図８に記載の形状等は本出願人の実測・確認によるおよそのものであり、通常絶縁カバー（図示せず）が設けられる。
【００３８】
また、参考までに、従来の圧着工具を用いてケーブルの端子を圧着する場合の圧着作業フローについて示す。
【００３９】
図９に示すように、従来の圧着工具では、ケーブルの端子挿入から圧着、次回の圧着のためのダイス等の復旧までに、９つの工程（図９の（１）〜（９））が必要である。すなわち、（１）端子挿入、（２）仮押さえ、（３）圧着、（４）減圧、（５）芯棒抜去、（６）メスダイス抜去、（７）ケーブル引抜、（８）メスダイス挿入、および（９）芯棒挿入の工程が必要となる。
【００４０】
このような従来の圧着工具による作業フローでは、以下のようなことが生じていた。
圧着後のメスダイス・芯棒抜去が面倒であることや、それらを落下させる危険がある。過去にダイス等の落下による短絡事故が発生している。圧着ヘッド本体とリモコンが別のため、ダイス等の抜去もあいまって一人作業が困難である。狭隘箇所での芯棒引抜が困難な場合が多々ある。本体の厚みがあり、狭隘箇所での圧着が困難な場合が多々ある。油圧分離式圧着工具の場合、油圧ホースが邪魔で狭隘箇所での圧着が困難な場合が多々ある。
【００４１】
本発明の圧着工具では、前記の通り、従来の圧着工具に比して、作業フローの工程数が少なく、従来の圧着工具の作業フローによる問題点もなく、優れた効果を有している。
【００４２】
本発明によれば、前述した実施形態に係る圧着ヘッド１０を、油圧ポンプと、該油圧ポンプに接続された油圧ホースと、該油圧ホースの先端に取り付けられた圧着ヘッドとを備える油圧分離式圧着装置における当該圧着ヘッドとして用いることで、優れた効果を有する油圧分離式圧着装置を提供することができる。
【００４３】
以上詳述した通り、本実施形態の圧着ヘッド１０について説明したが、本発明においては、このような油圧分離式圧着工具に限られず、充電式、一体型等他の実施形態にも適用可能である。
【産業上の利用可能性】
【００４４】
本発明は、比較的太いケーブルの端子圧着のために、ダイスや芯棒の開閉作業の必要がなく、効率の良い圧着作業を行うことのできるケーブルの端子圧着工具として、産業上の利用可能性を有する。
【符号の説明】
【００４５】
１０：圧着ヘッド（一実施形態のケーブルの端子圧着工具）
１：本体部（圧着ヘッド本体部）
ｔ：本体部先端
２：ピストン部
３：オスダイス
４：メスダイス
ｇ：溝部
Ｌ：ロックピン
２０：従来例（既存品）の圧着工具
２１：本体部
２２：オスダイス
２３：メスダイス
２４：芯棒
【要約】      （修正有）【課題】特に太いケーブルの端子圧着のために、効率の良い圧着作業を行うことのできる圧着工具を提供する。【解決手段】ケーブルの端子を圧着するための圧着工具本体部１と、本体部の内部に設けられ、ケーブルの端子を圧着する際に本体部の先端から延出して圧力を加えるピストン部２と、ピストン部における延出方向の先端に設けられたオスダイス３と、本体部の先端二箇所で連結され、オスダイスと対向するように、端子の圧着の受けダイスとして延在するメスダイス４とを備え、本体部、メスダイスおよびオスダイスによって、ケーブルを挿入した際にケーブルが圧着部を形成し、圧着部を含む水平面に対して、メスダイスに垂直方向に連続する溝部が設けられ、メスダイスとオスダイスとの空間の長手方向距離におけるメスダイスの空間の幅に対する比が１．１〜１．４であり、端子の圧着前後にケーブルを垂直方向に挿入および抜去可能なように構成されている。【選択図】図１【図１】
0006909523.tif 000002
【図２】
0006909523.tif 000003
【図３】
0006909523.tif 000004
【図４】
0006909523.tif 000005
【図５】
0006909523.tif 000006
【図６】
0006909523.tif 000007
【図７】
0006909523.tif 000008
【図８】
0006909523.tif 000009
【図９】
0006909523.tif 000010